(57)【要約】【課題】従来の打撃練習具は、複雑で高価であったり、練習用に特別の打撃部材を購入するような必要があった。【解決手段】ゴルフのパターのような打撃部材Ａに取り付ける打撃練習具である。ほぼ半球状に形成した打球体１と、パターのような打撃部材Ａへの取り付け、取り外し可能な固定部２から構成する。【選択図】        図１
2005152343.tif 000002
【特許請求の範囲】
【請求項１】
ゴルフのパターのような打撃部材に取り付ける打撃練習具であって、
ほぼ半球状に形成した打球体と、
パターのような打撃部材への取り付け、取り外し可能な固定部から構成した、
打撃練習具
【請求項２】
打球体以外の位置に、
棒状の方向指示ロッドを突設して構成した、
請求項１記載の、打撃練習具
【発明の詳細な説明】
【技術分野】
【０００１】
本発明は、ゴルフやグランドゴルフ、ゲートボールなどの球を打撃して競技する場合に使用する打撃練習具に関するものである。
【背景技術】
【０００２】
ゴルフの打撃技術を向上させるために各種の装置が開発されている。（例えば、特許文献１〜４参照）
【特許文献１】特開２００１−３５３２４９
【特許文献２】特開２００１−５４６０６
【特許文献３】特開２００２−２０４８４６
【特許文献４】特開２００２−３３１０５９
【発明の開示】
【発明が解決しようとする課題】
【０００３】
前記した従来の打撃練習具にあっては、次のような問題点がある。
＜イ＞ある種の装置は光線とセンサーを使用するなど、複雑で高価であって一般のゴルファーが購入して使用できる範囲のものではない。
＜ロ＞他の種類の装置は、練習のために専用のクラブを使用しなければならず、ゴルファーをそうした特殊な構造のクラブを購入する必要があり、不経済である。
＜ハ＞また練習のための専用のクラブを使用した場合に、練習では理想的な打撃の感覚をつかむことができたとしても、実際にゴルフ場では別のクラブを使用することから、同一の感覚で打撃をすることが困難である。
【課題を解決するための手段】
【０００４】
上記のような従来の装置の課題を解決した本発明の打撃練習具は、ゴルフのパターのような打撃部材に取り付ける打撃練習具であって、ほぼ半球状に形成した打球体と、パターのような打撃部材への取り付け、取り外し可能な固定部から構成した打撃練習具を特徴としたものである。
【発明の効果】
【０００５】
本発明の打撃練習具は以上説明したようになるから次のような効果を得ることができる。
＜イ＞構造が簡単な練習具であるから、光線とセンサーを使用したような複雑で高価な装置と相違して、一般のゴルファーその他のプレイヤーが簡単に購入して使用することができる。
＜ロ＞練習のために専用のパターなどの打撃部材を必要としないから、ゴルファーやゲートボール、グランドゴルフを楽しむ人は手持ちの打撃部材を使用して練習することができ、経済的である。
＜ハ＞自分の手持ちの打撃部材で練習して理想的な打撃の感覚をつかむことができれば、その打撃部材を実際にゴルフ場などで使用してプレイができるから、同一の理想的な感覚を思い出して打撃をすることができる。
【発明を実施するための最良の形態】
【０００６】
本発明を実施するための最良の形態は、ゴルフのパターのような打撃部材に取り付ける打撃練習具であって、ほぼ半球状に形成した打球体と、パターのような打撃部材への取り付け、取り外し可能な固定部から構成した打撃練習具である。
【実施例】
【０００７】
以下図面を参照しながら本発明の打撃練習具を、ゴルフのパターを実施例として説明するが、後述するようにゴルフ以外の類似の競技の打撃部材へ利用することができる。
【０００８】
＜１＞全体の構成。
本発明の打撃練習具は、手持ちのゴルフのパターのような打撃部材Ａに取り付ける打撃練習具である。
したがって、通常のパターを持っているゴルファーならだれでも、その手持ちのパターを利用して練習することができるものであって、特殊なパターを購入する必要はない。
【０００９】
＜２＞打球体１。
本発明の練習具は、打球体１と固定部２から構成する。
打球体１は、その表面が「球面」を形成した、ほぼ半球状に形成したブロック体である。
表面が球面であるから、打撃時にボルト２４接触する理想的な打撃点は１点だけとなる。
【００１０】
＜３＞固定部２。
上記の打球体１をパターのような打撃部材Ａへの取り付けるために固定部２が必要となる。
そのために、例えば断面「コ」字状の固定部２を採用する。
この固定部２は鉛直の壁板２１と、その上部から直交方向に突設させた上棚板２２と、その下端から直交方向に突設させた下棚板２３とによって断面「コ」字状に形成する。
この上棚板２２と下棚板２３とは、壁板２１に対して同一方向に向けて突設する。
そして両棚板の間隔は、打撃部材Ａの打撃面の間隔よりも広い間隔に構成する。
例えば打撃部材Ａがゴルフのパターである場合には、上棚板２２と下棚板２３との間隔は、平均的なパターの打撃面の間隔よりも広く構成する。
そして上棚板２２からは鉛直方向にはナット穴を開口し、このナット穴にボルト２４を挿入する。
【００１１】
＜４＞打撃部材Ａへの取り付け。
打球体１を打撃部材Ａに取り付けるには、上棚板２２と下棚板２３との間に打撃部材Ａの打撃面を位置させ、上からナット穴にボルト２４を挿入してねじ込んで行なう。
すると下には下棚板２３が存在することから、打撃部材Ａの打撃面を上下から強固に締め付けられて、打球体１を確実に取り付けることができる。
反対にボルト２４を緩めれば簡単に取り外すことができる。
【００１２】
＜５＞方向指示ロッド３。
上記した打球体１とは別の位置には、棒状の方向指示ロッド３を突設して取り付けることもできる。
例えば、固定具の上棚板２２の鉛直端面に、打球体１とは反対の方向に向け、かつ壁板２１とは直交する方向に向けて突設する。
すると、パターなどの打撃部材Ａに、固定部２を正確に取り付けると、方向指示ロッド３は打撃部材Ａを移動させるべき方向を指示することになる。
【００１３】
＜６＞取り付け方法。
次に使用方法の一例として、ゴルフのパターに本発明の打撃練習具を使用する例を説明する。
まず固定具の上棚板２２と下棚板２３の間にパターのヘッドの打撃面を位置させ、壁板２１を打撃面に直接、接触させた状態で、ボルト２４を締め付ける。
この場合にヘッドのどの位置にでも取り付ければよいのではなく、一定の取り付け位置が決まっている。
すなわちヘッドには、打撃した時にボールに対してヘッドの力が最も効率的に伝わるスイートスポットが存在する。
そこで本発明の練習具を、ヘッドに取り付ける場合には、ヘッドのスイートスポットに対応する位置に、打球体１の頂点が位置するように配置して取り付ける。
【００１４】
＜７＞打撃練習方法。
本発明の練習具を打撃部材Ａ、例えば自分の愛用のゴルフのパターの打撃面に、前記した配置にしたがって取り付ける。そしてゴルフのボールを繰返し打つ。  
練習具の打球体１の頂点は、前記したようにスイートポイントに一致しているから、パターを振る方向が、打撃したい方向に正確に一致していれば、打球体１の頂点がボールの打撃者側の頂点に当たる。
すると、ボールは正確に打撃線上を走行してゆく。
その場合にパターの移動方向を、方向指示ロッド３の示す方向に一致させる意識をもって練習を繰り返せば、スイングの技術や勘を速く体得することができる。
【００１５】
＜８＞不正確な打撃の確認。
打球体１の頂点と、ボールの打撃者側の頂点が一致しなかった場合にはボールは打撃線上から外れた方向に走行してゆく。（図４右図）
しかし打撃方向が正確であるか否か、は必ずしも本練習具を使用する必要はない。
なぜなら打撃方向が正確でなければ、本練習具を利用せずにパターのような打撃部材Ａだけで打撃しても、ボールが打撃線上から外れた方向に走行してゆく（図４左図）のだから、打撃方向が正確でないことは分かるからである。
しかし、図４の比較から分かる通り、本発明の練習具を使用すると、打撃点のわずかな狂いが数倍の大きさとなって拡大して現れる。
すなわち、わずかな手元の狂いが、本発明の球状の打球体１を使用することによって、大きな打撃方向の誤差となって誇張して表現されるので、自己の技量を精密なレベルで修正することができるものである。
このように、わずかな手元の狂い程度でほぼ正確なつもりの打撃が、本発明の練習具を使用すると大きく拡大、誇張して表現されるので、繰返し練習することによって、正確な位置や方向を確認しつつ打撃技術や勘を体得することができる。
【００１６】
＜９＞実際のプレー。
実際にゴルフ場でプレーをするときには、本発明の練習具を取り外して使用すれば、練習で使ったのと同一のパターで打撃することができるから、練習時の技術をそのまま復元することができる。
練習具を取り外したときの重量の変化が問題であれば、同じ程度の重りをパターに張り付けて使用することもできる。
なお、以上は打撃部材Ａとしてゴルフのパターに使用する例を説明したが、ゲートボールその他の打撃部材Ａに取り付けることができ、その場合に同様の効果を得られることはもちろんである。
【図面の簡単な説明】
【００１７】
【図１】本発明の打撃練習具の実施例の説明図。
【図２】打撃練習具をパターに取り付け例の説明図。
【図３】打撃練習具をパターに取り付けた例の側面図。
【図４】本発明の練習具を使用した場合の打撃線と、利用しない場合の打撃線とを比較した図。
【符号の説明】
【００１８】
１：打撃体
２：固定部
３：方向指示ロッド
【図１】
2005152343.tif 000003
【図２】
2005152343.tif 000004
【図３】
2005152343.tif 000005
【図４】
2005152343.tif 000006